(57)【要約】【課題】  携帯電話や携帯型情報端末で受信したモバイルセグメントの放送データから生成した画像データは、画像データの情報量が少なく、そのまま印刷しても印刷装置の性能を十分活用して印刷することが出来ないという問題点を解決する。【解決手段】  本発明は、デジタルテレビ放送のモバイルセグメント放送の受信が可能な携帯端末と、デジタルテレビ放送のＨＤＴＶ放送あるいはＳＤＴＶ放送の受信な可能な受信装置と、記録装置と、プリンタ装置を含む印刷システムにおいて、モバイルセグメント放送を受信している情報端末から印刷指示により、高解像度で記録された受信装置で受信して録画した画像データをプリンタ装置に転送し、きれいな画像で印刷するシステムである。【選択図】  図１
2006277101.tif 000002
【特許請求の範囲】
【請求項１】
ネットワークに接続された、デジタルテレビ放送のモバイルセグメント放送の受像手段を備えた携帯端末と、
上記ネットワークに接続された、デジタルテレビ放送の高精細テレビ放送又は標準画像テレビ放送を受信する受信装置と、
上記ネットワークに接続された、上記受信装置で受信した放送を録画する録画装置と、
上記ネットワークに接続された、プリンタ装置と、
を用いて構成されたことを特徴とする携帯端末を用いた印刷システム。
【請求項２】
上記携帯端末は、受信中のモバイルセグメント放送のチャンネル情報を上記受信装置に通知し、受信装置は携帯端末で視聴しているモバイルセグメント放送と同じ番組内容の高精細テレビ放送又は標準画像テレビ放送を受信し、携帯端末のチャンネル切り替え信号に同期して受信装置の受信するチャンネルを携帯端末で視聴している同じ放送内容のチャンネルに切り替えることを特徴とする請求項１に記載の携帯端末を用いた印刷システム。
【請求項３】
上記請求項携帯端末が送信する印刷指示に応じて、上記録画装置で記録したデータを上記プリンタ装置に転送して印刷を行うことを特徴とする請求項１又は２に記載の携帯端末を用いた印刷システム。
【請求項４】
ネットワークに接続された、デジタルテレビ放送のモバイルセグメント放送の受像手段を備えた携帯端末と、
上記ネットワークに接続された、デジタルテレビ放送の高精細テレビ放送又は標準画像テレビ放送を受信し、受信した放送を録画する録画装置と、
上記ネットワークに接続された、プリンタ装置と、
を用いて構成されたことを特徴とする携帯端末を用いた印刷システム。
【請求項５】
上記携帯端末は、受信中のモバイルセグメント放送のチャンネル情報を上記録画装置に通知し、録画装置は携帯端末で視聴しているモバイルセグメント放送と同じ番組内容の高精細テレビ放送又は標準画像テレビ放送を受信し、携帯端末のチャンネル切り替え信号に同期して録画装置の受信するチャンネルを携帯端末で視聴している同じ放送内容のチャンネルに切り替えることを特徴とする請求項４に記載の携帯端末を用いた印刷システム。
【請求項６】
上記携帯端末が送信する印刷指示に応じて、上記録画装置で記録したデータを上記プリンタ装置に転送して印刷を行うことを特徴とする請求項４又は５に記載の携帯端末を用いた印刷システム。
【請求項７】
上記録画装置は、ネットワークの通信速度に応じて、録画データの保存時間を変えることを特徴とする請求項１乃至６のいずれか１項に記載の携帯端末を用いた印刷システム。
【発明の詳細な説明】
【技術分野】
【０００１】
本発明は、デジタルテレビ放送のモバイルセグメント放送の受信が可能な携帯端末と、デジタルテレビ放送の高精細テレビ（以下、ＨＤＴＶという）放送又は標準画像テレビ（以下、ＳＤＴＶという）放送の受信が可能な受信装置と、記録装置と、プリンタ装置を含む印刷システムに関する。
【背景技術】
【０００２】
テレビ放送のデジタル化は急速に進んでおり、今後高画質、高音質なハイビジョン放送だけではなく、モバイルセグメント放送を使ったモバイル機器に特化したモバイル専用放送や、１つのチャンネルに複数の番組を同時に送信する複数番組同時放送等、デジタル放送の特徴をいかした様々な形態での放送が予定されている。
【０００３】
情報端末や携帯電話等のバッテリー駆動の情報機器で、テレビ番組を受信するには、バッテリーの消費量が少ない受信システム、また携帯機器のディスプレイに最適な画像サイズでの放送が好ましく、これを解決する手段として、モバイル機器に最適化した放送手段として、モバイルセグメント放送が計画されている。
【０００４】
モバイルセグメント放送は、一般の家庭で受信するＳＤＴＶ放送や、ＨＤＴＶ放送と比較すると、情報量が少なく受信機の画像処理が比較的簡単ですむという特徴がある。情報量は少ないが、モバイル機器の画面サイズで表示するには十分なデータ量で放送される。
【０００５】
ところで、従来、アナログテレビの環境で、テレビ番組の動画情報から、静止画情報を生成する、いわゆるビデオキャプチャー機能があった。ビデオキャプチャーで生成された静止画像情報は、ディスプレイ装置で画像情報として表示して楽しむだけでなく、印刷装置を使って、印刷を行う画像データとして使われることもある。
【０００６】
デジタルテレビ放送においても、高画質な動画データを楽しむだけでなく、動画データをキャプチャーして静止画データとして抽出し、印刷装置を用いて印刷し、様々な用途に活用するといった楽しみ方が考えられる。
【発明の開示】
【発明が解決しようとする課題】
【０００７】
従来、テレビ放送の動画データを静止画の画像情報として取り込み、印刷するといったことが行われていた。デジタルテレビ放送においても、高画質のデジタル画像データを印刷したいという要求はあると思われる。家庭用のデジタルテレビ受信装置では、ＨＤＴＶ放送あるいはＳＤＴＶ放送のデータを受信可能なため、受信データから高解像度の静止画像データを生成し、プリンタに画像データを転送することで、高画質な放送画像データを印刷することが可能である。しかし、携帯電話や携帯型情報端末の受信するデジタル放送は、モバイルセグメント放送で送信されるモバイル機器向けの、少ない情報量で放送されるデータであり、データ量の多いＳＤＴＶ放送あるいはＨＤＴＶ放送を受信する手段は持たないものが一般的である。従って、携帯電話や携帯型情報端末で受信したモバイルセグメントの放送データから生成した画像データは、画像データの情報量が少なく、そのまま印刷しても印刷装置の性能を十分活用して印刷することが出来ないという問題点が考えられる。
【課題を解決するための手段】
【０００８】
そこで、本発明においては、情報端末でデジタルテレビ放送のモバイルセグメント放送を受信するのに同期して、デジタルテレビ放送のモバイルセグメント放送と同じ内容を放送しているＨＤＴＶ放送あるいはＳＤＴＶ放送を、ネットワークで接続されている他のデジタル放送受信装置で受信し、受信した放送を録画装置で録画する。情報端末が、モバイル放送セグメント放送で受信するチャンネルを切り替えた場合は、ＨＤＴＶ放送あるいはＳＤＴＶ放送を受信しているデジタル放送受信装置の受信チャンネルも情報端末のチャンネル切り替えに同期して受信チャンネルを切り替える。録画装置は、モバイル機器がモバイルセグメント放送を受信している間は、デジタル放送受信機の受信したデータを録画する。
【０００９】
情報端末で、モバイルセグメント放送の画像情報の印刷要求が行われた場合、情報端末は、録画装置に対して、データ生成指示を送信し、録画中のデータから、印刷要求された時間の画像データを抽出し、そこから静止画データを生成し、プリンタ装置に転送する。プリンタ装置は、録画装置から受信した画像情報の印刷を行う。
【００１０】
以上、詳述したように、デジタル放送のモバイルセグメント放送を受信する携帯端末と、デジタル放送のＳＤＴＶ放送あるいはＨＤＴＶ放送を受信するデジタル放送受信装置と、録画装置と、印刷装置とで構成されるシステムで、モバイルセグメント放送を受信するモバイル端末から、高画質なキャプチャー画像の印刷を可能とする。
【発明の効果】
【００１１】
本発明を用いることで、情報端末が受信するモバイルセグメント放送に同期して録画されたＳＤＴＶ放送あるいはＨＤＴＶ放送の受信データから高解像度なキャプチャデータを生成することが可能となり、これを用いた高画質印刷を行うことが出来る。
【発明を実施するための最良の形態】
【００１２】
本発明の携帯端末を用いた印刷システムおよびその制御方法、ならびに処理の流れについて図面を参照しながら説明する。
【００１３】
本発明の実施例に係る携帯端末を用いた印刷システムの構成を図１に示す。携帯端末１と、デジタル放送受信装置８と、録画装置９と、印刷装置１０は、ネットワーク１１で接続されており、データ通信可能な環境にある。１の携帯端末は、デジタル放送のモバイルセグメント放送を受信する機能を有しており、その構成は、ネットワークと接続する手段である通信部２とデジタル放送のモバイルセグメント放送を受信する手段であるデジタル放送受信部３と、受信したデジタル放送を表示する表示装置４と、携帯端末全体の動作を制御するＣＰＵ５と、携帯端末を動作させるプログラムが格納される記憶装置６と、チャンネル切り替え操作、あるいは印刷指示を行うユーザーインターフェイス７とで構成されている。
【００１４】
本実施例においては、携帯端末１とデジタル放送受信装置８と録画装置９と印刷装置１０はネットワーク１１で接続されているが、例えば、デジタル放送受信装置と録画装置が、ネットワーク１１で接続されずに、図１に示していない別の通信手段で接続されている場合も考えられる。また、デジタル放送受信装置８が録画装置９に内蔵される場合も考えられるが、本実施例に示す構成が含まれているシステムであれば、ネットワークの接続携帯によらず、本実施例の携帯端末を用いた印刷システムを構成することが可能である。
【００１５】
本発明の携帯端末を用いた印刷システムの処理の流れを図2に示す。携帯端末でモバイルセグメント放送の受信を開始すると、携帯端末は、ネットワークを経由して、ネットワークで接続されている録画装置に、デジタル放送受信装置の出力する映像信号の録画開始を指示する。
【００１６】
また、同時に、携帯端末は、ネットワークを経由して、ネットワークで接続されているデジタル放送受信装置に対して、モバイルセグメント放送で受信しているテレビ番組と同じ放送内容のＳＤＴＶ放送あるいはＨＤＴＶ放送のテレビ番組を受信するよう、受信開始信号を送信する。モバイルセグメント放送と、それと同じ内容のＳＤＴＶ放送あるいはＨＤＴＶ放送の関連付けは、ＥＰＧ等の電子番組情報を用いて、携帯端末あるいは受信装置で自動的に関連付けを行う方法が考えられるが、デジタル放送のデータチャンネル等に付加された情報を活用して、関連付けを行う方法も考えられる。このようにして、携帯端末で受信しているモバイルセグメント放送は、ネットワークで接続されている録画装置で、同じ放送内容のＳＤＴＶ放送あるいはＨＤＴＶ放送での録画が開始される。
【００１７】
ユーザーが、携帯端末で受信しているモバイルセグメント放送のチャンネルを変更した場合は、携帯端末は、ネットワークで接続された受信装置に変更されたチャンネル情報と、チャンネル変更指示を送信し、チャンネル変更指示を受信した受信装置は、受信したチャンネル変更情報にあわせて、携帯端末で受信しているモバイルセグメント放送と同じ番組のＳＤＴＶ放送あるいはＨＤＴＶ放送に受信チャンネルを変更する。これにより、携帯端末で受信する番組と、録画装置で録画される番組の同期をとることが出来る。
【００１８】
また、録画装置は、携帯端末の録画開始指示で、映像信号の録画を開始するが、録画する映像情報の用途が印刷用画像データの生成であることから、録画装置が持つ最も高品質な記録モードで録画したほうが良い。録画装置を高画質モードで録画すると、保存する情報量が増大するため、記録可能な時間が短くなってしまうが、情報機器がモバイルセグメント放送を受信中のデータをすべての時間の映像情報を記録する必要はない。録画装置に記録する画像は、携帯端末でモバイルセグメント放送を受信しているユーザーが、印刷指示を送信した時間の画像情報があればよい。そのため、記録が必要な時間は、携帯端末と録画装置との間の通信時間分でよい。通信時間は、ユーザーが携帯端末の受信しているモバイルセグメント放送の受信チャンネルを変更するときに、ネットワークに接続されたデジタル放送受信装置にチャンネル変更指示を送信する時、あるいは録画開始指示を録画装置に送信する際に、録画装置側で、通信時間を取得することが可能である。前記通信時間を利用し、通信時間プラス一定の余裕を持たせた時間の映像情報だけを記録し、古くなった情報はその都度、削除してもかまわない。
【００１９】
上記のように、携帯端末の受信するモバイルセグメント放送のチャンネルと同期して、録画装置でモバイルセグメント放送と同じ内容のＳＤＴＶ放送あるいはＨＤＴＶ放送を録画する環境で、携帯端末で、受信中のモバイルセグメント放送の受信している画面の印刷指示が出された場合、情報端末は、印刷指示が出された時間情報と印刷開始指示を録画装置に転送する。
【００２０】
録画装置は、受信した時間情報をもとに、録画していた動画情報から、静止画情報を生成し、静止画データを、ネットワークに接続された印刷装置に転送する。印刷装置は、受信した静止画データの印刷を行う。
【００２１】
情報端末でモバイルセグメント放送の受信を終了したら、ネットワーク内の受信装置に受信終了を通知し、受信装置は受信を終了する。それと同時に、ネットワーク内の録画装置に録画終了、及び録画したデータの削除を通知し、録画装置は、録画を停止し、録画済の動画データの削除を行う。
【００２２】
上記、図にそって説明したが、情報端末でデジタル放送のモバイルセグメント放送を受信し、受信しているモバイルセグメント放送と同じ番組を放送しているＳＤＴＶ放送あるいはＨＤＴＶ放送を、ネットワークで接続された受信装置で受信し、受信したＳＤＴＶ放送あるいはＨＤＴＶ放送を、ネットワークで接続された録画装置で一定時間録画し保存する。情報端末が受信するチャンネルを変更した場合、受信装置も、情報端末のチャンネル変更に同期して、チャンネル変更する。そして、情報端末が、印刷開始を指示すると、録画装置に対して、保存している動画情報から、静止画情報を生成するよう指示し、録画装置は、生成した静止画情報を印刷装置に転送し、印刷装置は、受信したデータを印刷する。
【００２３】
これにより、モバイルセグメント放送の印刷データとして用いるには解像度の低い画像データではなく、ＨＤＴＶ放送、あるいはＨＤＴＶ放送から録画した画像データから生成した情報量の多く解像度の高い画像データを使って印刷を行うことが可能となる。
【図面の簡単な説明】
【００２４】
【図１】本発明の実施例の構成を示す図である。
【図２】本発明の印刷システムの処理の流れを示す図である。
【符号の説明】
【００２５】
１：携帯端末
２：通信部
３：デジタル放送受信部
４：表示装置
５：ＣＰＵ
６：記憶装置
７：ユーザーインターフェイス
８：デジタル放送受信装置
９：録画装置
１０：印刷装置
１１：ネットワーク
【図１】
2006277101.tif 000003
【図２】
2006277101.tif 000004